(57)【要約】  装置(１０)は、微小電気機械システム(MEMS)技術を利用して、体腔(２８)内の状態を監視する。本装置(１０)は、体腔内に挿入される少なくとも一つのセンサ(４２)を含む。センサ(４２)は、体腔(２８)内の状態に応じて信号を発生する。少なくとも一つの遠隔測定装置(４４)が、このセンサ(４２)に作動的に結合する。遠隔測定装置(４４)は、センサ(４２)からの信号を受信し、かつ、その信号に応じた電磁信号を送信するように作動可能である。遠隔測定装置(４４)は、その遠隔測定装置から延出する少なくとも一つのコイル部材(８２)を含む。コイル部材(８２)は、体腔(２８)に係合して、遠隔測定装置(４４)を体腔に固定する。
2005510336.tif 000002
【特許請求の範囲】
【請求項１】
体腔内の状態を監視するための装置であって、
体腔内に挿入される少なくとも一つのセンサであって、体腔内の状態に応じて信号を発生するためのセンサと、
前記少なくとも一つのセンサと作動的に結合した少なくとも一つの遠隔測定（telemetric）装置であって、前記少なくとも一つのセンサからの前記信号を受信して、前記信号に応じたEMF信号を送信するように作動が可能な遠隔測定装置と
を含み、
前記少なくとも一つの遠隔測定装置は、前記少なくとも一つの遠隔測定装置から延出する少なくとも一つのコイル部材を含み、前記少なくとも一つのコイル部材は、体腔と係合して、前記少なくとも一つの遠隔測定装置を体腔内に固定するためのものである。
【請求項２】
前記少なくとも一つのセンサと、前記少なくとも一つの遠隔測定装置とを取り囲む弾性収容体（compliant enclosure）をさらに含む、請求項１の装置。
【請求項３】
前記少なくとも一つのセンサと、前記少なくとも一つの遠隔測定装置とを取り囲む、生体分子から成るフィルムをさらに含む、請求項１の装置。
【請求項４】
前記少なくとも一つのセンサと、前記少なくとも一つの遠隔測定装置とを取り囲む、生体分子から成る複数の単層をさらに含む、請求項１の装置。
【請求項５】
前記少なくとも一つのセンサと、前記少なくとも一つの遠隔測定装置とを取り囲む、生体適合性材料から成る複数の薄層をさらに含む、請求項１の装置。
【請求項６】
前記EMF信号を受信するための外部監視ユニットをさらに含む、請求項１の装置。
【請求項７】
前記外部監視ユニットは、前記少なくとも一つの遠隔測定装置を電磁誘導的に活性化するための回路手段を含む、請求項６の装置。
【請求項８】
前記少なくとも一つの遠隔測定装置を電磁誘導的に活性化するための外部電力供給ユニットをさらに含む、請求項１の装置。
【請求項９】
協働してセンサネットワークを形成する、複数のセンサと、対応する複数の遠隔測定装置とをさらに含む、請求項１の装置。
【請求項１０】
前記センサネットワークが複数の特定可能な共鳴周波数を利用し得るように、前記複数のセンサは、各々、特定且つ個別の共鳴周波数帯域内で作動する、請求項９の装置。
【請求項１１】
前記少なくとも一つのセンサは、圧センサを含む、請求項１の装置。
【請求項１２】
前記少なくとも一つのコイル部材は、異なる方向に延出する複数のコイルを含み、前記複数のコイルは、各々、前記少なくとも一つの遠隔測定装置を体腔内に固定するために体腔に係合可能である、請求項１の装置。
【請求項１３】
前記少なくとも一つのコイル部材は、前記少なくとも一つの遠隔測定装置と作動的に結合し、前記EMF信号を送信するためのアンテナとして機能する、請求項１の装置。
【請求項１４】
動脈瘤嚢胞内の圧を監視するための装置であって、
動脈瘤嚢胞内に挿入される少なくとも一つの圧センサであって、動脈瘤嚢胞内の圧に応じて当該圧を示す出力信号を発生するための圧センサと、
前記少なくとも一つの圧センサと作動的に結合した少なくとも一つの遠隔測定装置であって、前記少なくとも一つの圧センサからの前記出力信号を受信して、前記出力信号に応じたEMF信号を送信するように作動が可能な遠隔測定装置と
を含み、
前記少なくとも一つの遠隔測定装置は、前記少なくとも一つの遠隔測定装置から延出する少なくとも一つのコイル部材を含み、前記少なくとも一つのコイル部材は、動脈瘤嚢胞と係合して、前記少なくとも一つの遠隔測定装置を動脈瘤嚢胞内に固定するためのものである。
【請求項１５】
前記少なくとも一つのセンサと、前記少なくとも一つの遠隔測定装置とを取り囲む弾性収容体をさらに含み、前記弾性収容体は、動脈瘤嚢胞内の圧を、前記少なくとも一つの圧センサに伝達するように作動する、請求項１４の装置。
【請求項１６】
前記弾性収容体は、液体が充填されたバルーンを含む、請求項１５の装置。
【請求項１７】
前記弾性収容体は、シリコーンで充填される、請求項１５の装置。
【請求項１８】
前記弾性収容体は、生理食塩水で充填される、請求項１５の装置。
【請求項１９】
前記弾性収容体は、ゲルを含む、請求項１５の装置。
【請求項２０】
前記弾性収容体は、ゼラチンを含む、請求項１５の装置。
【請求項２１】
前記少なくとも一つのセンサと、前記少なくとも一つの遠隔測定装置とを取り囲む、生体分子から成るフィルムをさらに含む、請求項１４の装置。
【請求項２２】
前記少なくとも一つのセンサと、前記少なくとも一つの遠隔測定装置とを取り囲む、生体分子から成る複数の単層をさらに含む、請求項１４の装置。
【請求項２３】
前記生体分子から成る複数の単層は、コラーゲン、ヒアルロナン、グリコールおよびポリウレタンから成る群から選ばれる、請求項２２の装置。
【請求項２４】
前記少なくとも一つのセンサと、前記少なくとも一つの遠隔測定装置とを取り囲む、生体適合性材料から成る複数の薄層をさらに含む、請求項１４の装置。
【請求項２５】
前記生体適合性材料から成る複数の薄層は、パリレンおよびPDMSを含む群から選ばれる、請求項２４の装置。
【請求項２６】
前記EMF信号を受信するための外部監視ユニットをさらに含む、請求項１４の装置。
【請求項２７】
前記外部監視ユニットは、前記少なくとも一つの遠隔測定装置を電磁誘導的に活性化するための回路手段を含む、請求項２６の装置。
【請求項２８】
前記少なくとも一つの遠隔測定装置を電磁誘導的に活性化するための外部電力供給ユニットをさらに含む、請求項１４の装置。
【請求項２９】
センサネットワークを形成する、複数の圧センサと、対応する複数の遠隔測定装置とをさらに含む、請求項１４の装置。
【請求項３０】
前記センサネットワークが複数の特定可能な共鳴周波数を利用し得るように、前記複数のセンサは、各々、特定且つ個別の共鳴周波数帯域内で作動する、請求項２９の装置。
【請求項３１】
前記少なくとも一つのコイル部材は、複数のコイルを含む、請求項１４の装置。
【請求項３２】
前記少なくとも一つのコイル部材は、前記少なくとも一つの遠隔測定装置と作動的に結合し、前記EMF信号を送信するためのアンテナとして機能する、請求項１４の装置。
【請求項３３】
前記少なくとも一つの遠隔測定装置は、前記EMF信号を送信するためのアンテナ手段を含む、請求項１４の装置。
【請求項３４】
体腔内の状態を監視するための装置であって、
体腔内に挿入される少なくとも一つのセンサであって、体腔内の状態に応じて信号を発生するためのセンサと、
前記少なくとも一つのセンサと作動的に結合した少なくとも一つの遠隔測定装置であって、前記少なくとも一つのセンサからの前記信号を受信して、前記信号に応じたEMF信号を送信するように作動が可能な遠隔測定装置と
を含み、
前記少なくとも一つの遠隔測定装置は、体腔内における前記少なくとも一つの遠隔測定装置の移動を抗力の増大によって最小限に抑えるために、前記体腔内において拡張可能な少なくとも一つのコイル部材を含む。
【請求項３５】
前記少なくとも一つのセンサと、前記少なくとも一つの遠隔測定装置とを取り囲む弾性収容体をさらに含む、請求項３４の装置。
【請求項３６】
前記少なくとも一つのセンサと、前記少なくとも一つの遠隔測定装置とを取り囲む、生体分子から成るフィルムをさらに含む、請求項３４の装置。
【請求項３７】
前記少なくとも一つのセンサと、前記少なくとも一つの遠隔測定装置とを取り囲む、生体分子から成る複数の単層をさらに含む、請求項３４の装置。
【請求項３８】
前記少なくとも一つのセンサと、前記少なくとも一つの遠隔測定装置とを取り囲む、生体適合性材料から成る複数の薄層をさらに含む、請求項３４の装置。
【請求項３９】
前記EMF信号を受信するための外部監視ユニットをさらに含む、請求項３４の装置。
【請求項４０】
前記外部監視ユニットは、前記少なくとも一つの遠隔測定装置を電磁誘導的に活性化するための回路手段を含む、請求項３９の装置。
【請求項４１】
前記少なくとも一つの遠隔測定装置を電磁誘導的に活性化するための外部電力供給ユニットをさらに含む、請求項３４の装置。
【請求項４２】
協働してセンサネットワークを形成する、複数のセンサと、対応する複数の遠隔測定装置とをさらに含む、請求項３４の装置。
【請求項４３】
前記センサネットワークが複数の特定可能な共鳴周波数を利用し得るように、前記複数のセンサは、各々、特定且つ個別の共鳴周波数帯域内で作動する、請求項４２の装置。
【請求項４４】
前記少なくとも一つのコイル部材は、体腔内における前記少なくとも一つの遠隔測定装置の移動を最小限に抑えるために、異なる方向に延出する複数のコイルを含む、請求項３４の装置。
【請求項４５】
前記少なくとも一つのコイル部材は、前記少なくとも一つの遠隔測定装置と作動的に結合し、前記EMF信号を送信するためのアンテナとして機能する、請求項３４の装置。
【請求項４６】
体内の腔における状態を監視するための方法であって、
体腔内の状態に応じて、その状態を示す出力信号を発生するためのセンサ、および、当該センサから出力信号を受信し、その出力信号に応じてEMF信号を送信するための遠隔測定装置を設ける工程と、
上記センサと上記遠隔測定装置とを弾性収容体の中に包み込んで変換器アセンブリを形成する工程と、
上記弾性収容体から突出する、少なくとも一つのコイル部材を上記変換器アセンブリと接続する工程と、
上記変換器アセンブリを体腔内に挿入する工程と、
上記変換器アセンブリを、前記少なくとも一つのコイル部材によって体腔に付着させる工程と、
上記遠隔測定装置によって送信された上記センサからのEMF信号を監視する工程と
を含む方法。
【請求項４７】
請求項４６の方法であって、
各変換器アセンブリが体腔内の別々の場所において体腔に付着するように、複数の変換器アセンブリを体腔内に挿入してセンサネットワークを形成する工程と、
各変換器アセンブリからのEMF信号を監視して、体腔内の状態の変化を検出する工程と
をさらに含む方法。
【請求項４８】
体内の腔における状態を監視するための方法であって、
体腔内の状態に応じて、その状態を示す出力信号を発生するためのセンサ、および、当該センサから出力信号を受信し、その出力信号に応じてEMF信号を送信するための遠隔測定装置を設ける工程と、
上記センサと上記遠隔測定装置とを弾性収容体の中に包み込んで変換器アセンブリを形成する工程と、
体腔内において上記弾性収容体から拡張可能な少なくとも一つのコイル部材を上記変換器アセンブリと接続する工程と、
上記変換器アセンブリを体腔内に挿入する工程と、
体腔内における上記変換器アセンブリの移動を最小限に抑えるために、体腔内において前記少なくとも一つのコイル部材を拡張させる工程と、
上記遠隔測定装置によって送信された上記センサからのEMF信号を監視する工程と
を含む方法。
【請求項４９】
請求項４８の方法であって、
前記複数の変換器アセンブリが、各変換器アセンブリと関連づけられた上記拡張された少なくとも一つのコイル部材によって体腔内部の異なる場所に互いに離れて設置されるように、複数の変換器アセンブリを体腔内に挿入してセンサネットワークを形成する工程と、
各変換器アセンブリからのEMF信号を監視して、体腔内の状態の変化を検出する工程と
をさらに含む方法。
【発明の詳細な説明】
【技術分野】
【０００１】
本発明は、体腔内の状態を監視するための装置および方法を対象としている。
【背景技術】
【０００２】
患者、例えば、ヒトの体腔内部の状態に関する情報は、その患者を治療する医師にとって極めて有用となりうる。例えば、出血や腫瘍のような問題点を探すには脳内圧を監視することが望ましい。また別の例として、狭窄や動脈瘤のような問題があるかどうかを判断するのに役立てるために、人体における各種血管内の圧を監視することが望ましい。
【０００３】
動脈瘤は、通常、初期的には既知の画像法を用いて診断されるものであるが、この動脈瘤を修復するために様々な胞内移植片が開発されている。胞内移植片は、開放手術工程によって、または、侵襲極小のカテーテル方式搬送システムによって、血管内に導入することが可能である。この胞内移植片は、動脈瘤を分離して、血液流通のための新たな内腔を提供するように、血管内に設置される。胞内移植片の設置に続いて、血管を破裂させる可能性がある移植片周辺からのエンドリーク（endoleakage）を検出するために、動脈瘤嚢胞と移植片との間の圧を監視することが望ましい。従来の圧測定装置を用いた場合、そのような圧データは、典型的には、手術中にのみ収集が可能である。
【発明の開示】
【課題を解決するための手段】
【０００４】
微小電気機械システム、または、MEMSは、もともと微小電子部品を製造するのに開発された技術を用いて製造された、微小な電子機械部品の集合やシステムを指す。微細製造、微細加工技術を用いて製造される、圧センサやストレインゲージのようなMEMS装置は、従来の手法で構築された同類と比べて優れた性能を示すことがあり、かつ、疲労や腐食等による故障に対して抵抗性を持つ。さらに、そのサイズが非常に小さいため、MEMS装置は、従来の装置ではこれまで実行不可能であった、人体等の独特の用途における機能の実現のために利用することが可能である。
【０００５】
本発明は、体腔内部の状態を監視するための装置である。この装置は、体腔に挿入される少なくとも一つのセンサを含む。この少なくとも一つのセンサは、体腔内部の状態に応じて信号を発生する。少なくとも一つの遠隔測定装置が、この少なくとも一つのセンサと作動的に結合する。この少なくとも一つの遠隔測定装置は、前記少なくとも一つのセンサから信号を受信し、その信号に応じた電磁(EMF)信号を送信するよう作動することが可能である。この少なくとも一つの遠隔測定装置は、この少なくとも一つの遠隔測定装置から延出する少なくとも一つのコイル部材を含む。この少なくとも一つのコイル部材は、体腔と係合して、前記少なくとも一つの遠隔測定装置を体腔内部に安定させる。
【０００６】
本発明の一つの特長によれば、本装置はさらに、前記少なくとも一つのセンサと、少なくとも一つの遠隔測定装置とを取り囲む弾性収容体を含む。
【０００７】
本発明の他の特長によれば、本装置はさらに、EMF信号を受信するための外部監視ユニットを含む。
【０００８】
本発明のさらに別の特長によれば、本装置はさらに、前記少なくとも一つの遠隔測定装置を電磁誘導的に活性化するための外部電力ユニットを含む。
【０００９】
本発明のさらに別の特長によれば、本装置は、協働してセンサネットワークを形成する、複数のセンサと、対応する複数の遠隔測定装置とを含む。
【００１０】
本発明の一つの実施態様によれば、前記少なくとも一つのコイル部材は、異なる方向に延出する複数のコイルを含む。
【００１１】
本発明の他の実施態様によれば、前記少なくとも一つのコイル部材は、前記少なくとも一つの遠隔測定装置と作動的に結合し、EMF信号を送信するためのアンテナとして機能する。
【００１２】
本発明はさらに、体腔内の状態を監視するための装置を提供する。この装置は、体腔内に挿入される少なくとも一つのセンサを含む。前記少なくとも一つのセンサは、体腔内の状態に応じて信号を発生する。少なくとも一つの遠隔測定装置がこの少なくとも一つのセンサと作動的に結合する。この少なくとも一つの遠隔測定装置は、前記少なくとも一つのセンサから信号を受信し、その信号に応じた電磁(EMF)信号を送信するよう作動することが可能である。この少なくとも一つの遠隔測定装置は、少なくとも一つのコイル部材を含む。このコイル部材は、前記少なくとも一つの遠隔測定装置の移動を最小限に抑えるように、体腔内に拡張することが可能である。
【００１３】
本発明はさらに、動脈瘤嚢胞内の圧を監視するための装置を提供する。本装置は、動脈瘤嚢胞内に挿入される少なくとも一つの圧センサを含む。この少なくとも一つの圧センサは、動脈瘤嚢胞内圧に応じて、その内圧を示す出力信号を発生する。少なくとも一つの遠隔測定装置が、前記少なくとも一つの圧センサと作動的に結合する。この少なくとも一つの遠隔測定装置は、前記少なくとも一つの圧センサから出力信号を受信し、その出力信号に応じたEMF信号を送信するよう作動することが可能である。この少なくとも一つの遠隔測定装置は、前記少なくとも一つの遠隔測定装置から延出する少なくとも一つのコイル部材を含む。この少なくとも一つのコイル部材は、動脈瘤嚢胞と係合して、前記少なくとも一つの遠隔測定装置を動脈瘤嚢胞内部に安定させる。
【００１４】
本発明はさらに、体内の腔の状態を監視するための方法を提供する。体腔内部の状態に応じて、その状態を示す出力信号を発生するために、センサが設けられる。前記センサからの出力信号を受信し、かつ、その出力信号に応じてEMF信号を送信するために、遠隔測定装置が設けられる。このセンサと遠隔測定装置は、弾性的収容体に包まれて、変換器アセンブリを形成する。少なくとも一つのコイル部材が、この変換器アセンブリに接続する。この少なくとも一つのコイル部材は、前記弾性的収容体から突出する。変換器アセンブリは体腔に挿入される。変換器アセンブリは、少なくとも一つのコイル部材によって体腔に付着する。そして、センサからのEMF信号が監視され、遠隔測定装置によって送信される。
【００１５】
本発明はさらに、体内の腔の状態を監視するための方法を提供する。体腔内部の状態に応じて、その状態を示す出力信号を発生するために、センサが設けられる。前記センサからの出力信号を受信し、かつ、その出力信号に応じてEMF信号を送信するために、遠隔測定装置が設けられる。このセンサと遠隔測定装置は、弾性的収容体に包まれて、変換器アセンブリを形成する。少なくとも一つのコイル部材が、この変換器アセンブリに接続する。この少なくとも一つのコイル部材は、体腔内において、前記弾性的収容体から拡張することが可能である。変換器アセンブリは体腔に挿入される。前記少なくとも一つのコイル部材は、体腔内における変換器アセンブリの移動を最小限に抑えるように、体腔内で拡張する。そして、センサからのEMF信号が監視され、遠隔測定装置によって送信される。
【発明を実施するための最良の形態】
【００１６】
本発明の前記およびその他の特長は、本発明に関わる当業者にとっては、添付の図面を参照しながら下記の説明を読むことによって明らかとなるであろう。
【００１７】
本発明は、体腔内部の状態を監視するための装置および方法を対象としている。本発明を代表するものとして、図１は、大動脈１２における圧を監視するための装置１０を示す。大動脈１２は、その大動脈内に動脈瘤嚢胞１６を形成する動脈瘤１４を有する。この動脈瘤１４は、従来技術で既知のように、その動脈瘤嚢胞１６内に胞内移植片２０を挿入することによって治療されてきた。以降さらに詳述するように、装置１０は、動脈瘤嚢胞の破裂を招きかねないエンドリークが移植片２０の周囲にあるかどうかを検出するために、動脈瘤嚢胞１６内部の圧を監視する。装置１０は、生体の他の、様々な体腔や領域の圧を監視するのに使用可能であることが理解されるべきである。
【００１８】
移植片２０は、既知の形態を持ち、大動脈１２の内面１８と係合するように拡張することが可能である。移植片２０の（図に示す）上端２２は、動脈瘤１４の上方において大動脈１２の内面１８と係合し、移植片の（図に示す）下端２４は、動脈瘤の下方において大動脈の内面と係合する。移植片２０の、この上端および下端２２、２４は、移植片を大動脈１２に設置するためにフックまたは小棘（図示せず）を含んでいてもよい。移植片２０の上端および下端、２２、２４の、大動脈１２に対する係合および設置は、動脈瘤１４を破裂させる可能性のある血流から動脈瘤嚢胞１６を封鎖・分離し、代わりに、血流を、移植片によって形成された導通部２６に向けるためのものである。
【００１９】
図１に示すように、移植片２０を動脈瘤１６内に配置し、大動脈１２に対して固定した後、装置１０を、動脈瘤嚢胞１６と移植片２０の間に画定された腔２８内の血圧を監視するように配備する。しかしながら、装置１０は、移植片２０を大動脈１２内に設置する前に配備することも可能であることが理解されるべきである。装置１０は、少なくとも一つの小型変換器アセンブリ４０を含む。図２に示すように、変換器アセンブリ４０は、圧センサ４２と遠隔測定装置４４を含む。この変換器アセンブリ４０は、外圧に反応する、弾力性のある収容体（compliant enclosure）４６の中に収容される。弾性収容体４６は、変換器アセンブリ４０を囲む、生体適合性材料から形成されるバルーン状の袋である。別態様として、弾性収容体４６は、後述するように、生体適合性材料から成るゲル、ゼラチン、または、フィルムを含んでいてもよい。
【００２０】
弾性収容体４６は、生体適合性の液体（またはゲル）５０、例えば、シリコーン、生理食塩水、または、その他の適当な材料によって充填される。液体５０の特性によって、この弾性収容体４６に対して加えられた圧力を、圧センサ４２の感受要素（後述）に対して均一に伝播することが可能であり、一方、変換器アセンブリ４０の電子部品および回路が、全ての腐食性媒体から隔離される。
【００２１】
例示する圧センサ４２は、既知の形態を持ち、既知の微細加工工程、微細製造工程、または、その他の適当なMEMS製造法によって製造される。この種の圧センサは、イリノイ州、シャンバーグ、のモトローラ社（Motorola, Inc.）やカリフォルニア州、フリーモント、TRWノバセンサ社（TRW Novasensor）から市販されている。生体適合性および寸法的な要求に合致する圧センサであれば、どのようなものであっても使用が可能であることが理解されるべきである。
【００２２】
例示の圧センサ４２は、ピエゾ抵抗装置であるが、他の種の圧センサ、例えば、ピエゾ電気センサや容量センサのような圧センサも代わりに使用可能であることが理解されるべきである。図３に最もよく示されるように、圧センサ４２は、基板６０、感受性ダイアフラム６２、複数のパターン配置された（patterned）抵抗器６４、および、複数の接着パッド６６を含む。ここに、各抵抗器に対して二つの接着パッドが関連づけられている。
【００２３】
基板６０は、上面６７と下面６８を持ち、シリコンで製造されるが、別態様として、他の適当な材料で製造されてもよい。基板６０は、上面６７および下面６８の間に延在するウェル領域６９を持つ。この領域は、通常の微細製造工程、および、リソグラフィーやエッチングを含む大型微細加工工程によって形成される。ウェル領域６９を横切って延在する感受性ダイアフラム６２も、シリコンで製造され、リソグラフィーおよびエッチング工程によって画定される。抵抗器６４および接着パッド６６は、基板６０の下面６８に対して、既知の手法で付着され、パターニングを施され、エッチングされた金属またはポリシリコン層から形成される。抵抗器６４は、ホウ素、リン、ヒ素、または、その他の適当な材料を前記シリコンに注入（dope）し、それによって、適当な導電性と極性を有するシリコン領域を形成し、接点分離型ピエゾ抵抗器を作成することも可能である。当業者には明らかなように、他の方法、例えば、SIMOX、ウェハ接着、および、ウェハ溶解法も使用が可能である。抵抗器６４は、感受性ダイアフラムの中の圧差によって引き起こされる張力を検出することができるよう、感受性ダイアフラム６２の縁にそって配置される。抵抗器６４は、別態様として、感受性ダイアフラム６２の、高張力または最大張力を持つ他の領域に配置されてもよい。
【００２４】
変換器アセンブリ４０の遠隔測定装置４４は、電子モジュール８０（図２）と複数のコイル部材８２を含む。電子モジュール８０は、接着ボンド６６により、図示しない手法で、圧センサ４２に作動的に結合される。図４のブロック図に示すように、電子モジュール８０は集積回路を含む。この集積回路は、アンテナ８２と圧センサ４２の間に作動的に結合される、RF-DC変換器／変調器８４、および、電圧制御器８６を含む。集積回路はさらに、圧センサ４２とRF-DC変換器／変調器８４の間に作動的に結合されるマイクロプロセッサ８８を含む。電子モジュール８０の回路を保護するために、電子モジュールには、パリレンやポリジメチルシロキサン（PDMS）等の柔軟なポリマーフィルムや、生体適合性エポキシを塗布してもよい。
【００２５】
変換器アセンブリ４０の遠隔測定装置４４から二つ以上のコイル部材８２が延びている。このコイル部材８２は、アンテナとして機能し、その近位端８３において、図示しない手法で、電子モジュール８０と作動的に（電気的に）結合する。各コイル部材８２の遠位端８４は、後述するように、変換器アセンブリ４０を表面に固定するのに使用される。コイル部材８２は、弾性収容体４６を貫いて異なる方向に突出する。一方、収容体自身は、それらコイル部材の周囲を封止する。コイル部材８２は、一般にニチノールと呼ばれる、既知の形状記憶特性を有するニッケルチタン合金から成る。別態様として、コイル部材８２は、他の生体適合性形状記憶合金や、アンテナとして適当な他の材料から成っていてもよい。
【００２６】
従来技術においてよく知られるように、形状記憶合金は、熱せられると、所定の形状に戻る能力を有する。形状記憶合金が冷たい場合、または、その遷移温度範囲(TTR)未満にある場合、その材料は低い降伏強度を持つので、新規の形状に変形が可能であり、その新規の形状は、材料が熱せられるまで維持される。しかしながら、形状記憶合金がそのTTRを超えて熱せられると、材料の結晶構造が（マルテンサイト構造からオーステンサイト構造への）変化を受け、これによって、材料は、その元の、すなわち、「記憶された」形状へ復帰する。記憶される形状は、先ず、材料を高温にて所望の形状に保持し、次に、材料がそのTTRを通過して冷却する間、材料をその所望の形状に保持し続けることによって、形状記憶合金の中に刷り込まれる。
【００２７】
装置１０はさらに、一体化されたアンテナ１６２を含む、外部の（患者の体の外にある、および／または、患者の体から離れていることを意味する）読み出し／電力供給ユニット１６０（図４）を含む。この読み出し／電力供給ユニット１６０は、従来技術で既知の回路を含む。従って、この回路については触れない。読み出し／電力供給ユニット１６０は、携帯装置であってもよいし、医師の診察室に見られるような比較的大型の装置であってもよい。この読み出し／電力供給ユニット１６０は、患者が着用する装置であってもよい。
【００２８】
読み出し／電力供給ユニット１６０は、電気エネルギーを伝達するよう操作が可能であるばかりでなく、後述するように、アンテナ１６２を通じて、データを受信、表示、および、保存することが可能である。さらに、読み出し／電力供給ユニット１６０はまた、図５に示すように、同時に、いくつかの変換器アセンブリ４０に電気エネルギーを伝達し、それらとデータを交換することが可能である。
【００２９】
図１に示すように、胞内移植片２０が動脈瘤嚢胞１６内に一旦設置されたならば、装置１０は、移植片２０の周囲において腔２８内へ侵入するエンドリークの有無を調べるために、動脈瘤嚢胞１６の内圧を監視するよう使用することができる。このエンドリークは動脈瘤嚢胞を破裂させる可能性がある。このようなエンドリークは、腔２８内の圧増加によって明白となる。
【００３０】
図１で見て取れるように、変換器アセンブリ４０の内のいくつかが、移植片２０と動脈瘤嚢胞１６の間の腔２８の中に挿入される。ある任意の体腔に挿入される変換器アセンブリ４０の正確な量は、本発明の特定の用途に基づいて選択可能であることが理解されるべきである。そのサイズによって、変換器アセンブリ４０を、動脈瘤１４の壁を貫いて挿入された１本の針またはカテーテル（図示せず）を介して順次に配送することが可能である。別態様として、変換器アセンブリ４０を、血管間手術法を用いて腔２８内に挿入することも可能であるし、または、移植片２０の外側に取り付けることも可能である。
【００３１】
変換器アセンブリ４０を腔２８内に挿入する直前に、それらの変換器アセンブリを冷却工程にかけて、コイル部材８２を巻き上げさせて（図示せず）、全体サイズを圧縮しておいてもよい。これは搬送を助ける。腔２８内に挿入されると、それらの変換器アセンブリ４０は人体のより温かい環境に晒され、これにより、コイル部材８２は拡張し、図１および２に示すそれぞれの記憶された形状に復帰する。
【００３２】
腔２８に挿入されると、これらの変換器アセンブリ４０は、腔２８中の様々な場所に配備される。腔２８において、各変換器アセンブリに関連づけられたコイル部材８２は拡張し、それによって、動脈瘤嚢胞１６における変換器アセンブリの移動を抑制または阻止する。拡張されたコイル部材８２は、抗力を増加させることによって変換器アセンブリ４０の移動を極小に留め、かつ、変換器アセンブリ同士をそれぞれ引き離すための手段としても働く。拡張されたコイル部材８２により、変換器アセンブリ４０は、動脈瘤嚢胞１６内において大動脈１２の内面１８に付着することが可能になる。これら変換器アセンブリ４０は、各変換器アセンブリ上の一つ以上のコイル部材８２の遠位端８４が大動脈の内面に引っかかる、または絡みつくことによって、大動脈１２の内面１８に付着する。また、コイル部材８２の一つの遠位端８４が、移植片２０の外面にも引っかかるか絡みついて、その変換器アセンブリをさらに安定させることも考えられる。図１に示すような、複数の変換器アセンブリ４０の拡散パターンは、腔２８内の圧分布をマップするためのセンサネットワークを形成する。
【００３３】
腔２８内の圧の監視を開始するために、読み出し／電力供給ユニット１６０は、腔内の各変換器アセンブリ４０に対して、アンテナ１６２を通じて、電磁場(EMF)信号の形で、さらに具体的に言うと、無線周波数(RF)信号の形で電気エネルギーを伝達する。このRF信号は、各変換器アセンブリ４０上のコイル部材８２を通じて受信されてDC信号に変換され、これが、圧センサ４２の回路を電磁誘導的に活性化する。
【００３４】
腔２８内の各圧センサ４２は、感受性ダイアフラム６２の変形・張力によってもたらされる電気抵抗の変化を検出する。各圧センサ４２によって検出される抵抗の変化は、付加された圧力に対応し、感受された状態に応じたデータ信号が電子モジュール８０によって生成される。次に、このデータ信号は、各変換器アセンブリ４０のコイル部材８２から、無線方式で、読み出し／電力供給ユニット１６０のアンテナ１６２に向けて送信される。この送信データ信号は、RF搬送波周波数を持つ、パルス幅変調(PWM)信号である。その他の信号形式（例えば、周波数変調(FM)、または、周波数偏移変調(FSK)）も使用が可能であることが理解されるべきである。各変換器アセンブリ４０は、各変換器アセンブリの特定が可能となるよう、特定且つ個別の搬送周波数帯域内で作動する。
【００３５】
読み出し／電力供給ユニット１６０のアンテナ１６２は、変換器アセンブリ４０からデータ信号を受信し、このデータ信号を処理し、各圧センサ４２によって感受された圧に対応するデータ信号に基づいて圧データを表示する。圧データは、任意の数の形式で、例えば、絶対値またはプロットとして表示してよい。また圧データは、読み出し／電力供給ユニット１６０によって保存されてもよい。
【００３６】
読み出し／電力供給ユニット１６０によって受信されたデータは、腔２８内部の圧に関する生体内（in vivo）評価を提供する。さらに、腔２８内に複数の変換器アセンブリ４０を設置することによって、装置１０は、腔内の圧分布を監視することが可能になる。この圧分布は、エンドリーク（endoleak）の位置や、その他の異常、例えば、動脈瘤１４の特に脆弱な領域の位置に関して有用な情報を提供し得る。前述の装置１０は、術後の期間中、腔２８内の圧を連続的に、または、必要に応じて監視することを可能とする。腔２８内の圧を連続的に、または、必要に応じて監視することが可能となるために、追加の手術を適当なタイミングで実施したり、または、回避することさえも可能となる場合がある。さらに、このような生体内評価から集められた情報が、術法や移植片設計の改善をも可能とする。
【００３７】
図６および７は、本発明の第２実施態様によって構築された、体腔２８内の圧を監視するための装置２１０を示す。図６、７の第２実施態様では、図１〜５の第１実施態様で使用されたものと同じ参照番号は、第１実施態様の構成要素と同じ構成要素を表わす。
【００３８】
図６および７の第２実施態様によれば、装置２１０は、変換器アセンブリ４０とは若干異なる変換器アセンブリ２４０を利用する。この変換器アセンブリ２４０は、液体（またはゲル）５０によって充填された弾力性収容体４６によって囲まれる。変換器アセンブリ２４０は、圧センサ４２と遠隔測定装置２４４を含む。遠隔測定装置２４４は、電子モジュール８０とアンテナ２８２を含む。
【００３９】
アンテナ２８２は、圧センサ４２の基板の上に、既知の微細加工技術または微細製造技術を用いて製造してもよいし、あるいは、別個に製造して、圧センサに接合してもよい。アンテナ２８２は、酸化物層２９２の上に沈着させた金属から成る螺旋形コイル２９０を含む（図６）。酸化物層２９２直下のドープポリシリコン層２９４は、コイル２９０の中心における接点２９６と、コイル外側の二つの接点２９８のうちの一つとの間に電気的接続を確立する。コイル２９０の外側のアンテナ２８２の接点２９８は、図示しない手法で電子モジュール８０と作動的に結合する。保護のために、アンテナ２８２を、柔軟なポリマーフィルム、例えば、パリレンまたはPDMS、または、生体適合性エポキシでコートしてもよい。
【００４０】
二つ以上のコイル部材８２が変換器アセンブリ２４０から延出する。図１〜５の第１実施態様と違って、これらのコイル部材８２は電子モジュール８０と電気的に結合していない。むしろ、コイル部材８２は、例えば、溶接、超音波結合、または、レーザー溶接のような既知の方法で、圧トランスジューサ４２に取り付けられ、変換器アセンブリ２４０を、前述のように、腔２８内の表面に固定するためにのみ使用される。コイル部材８２は、弾性収容体４６を貫いて異なる方向に突出し、収容体自身は、それらコイル部材の周囲を封止する。前述の実施態様と同様、コイル部材８２は、既知の形状記憶特性を有する、一般にニチノールと呼ばれるニッケルチタン合金から成るが、別態様として他の生体適合性材料から成ることも可能である。
【００４１】
胞内移植片２０が図１に示すように動脈瘤嚢胞１６内に一旦設置されたならば、図１〜５の第１実施態様において記述したのと同じ手法で、腔２８内のエンドリークの有無を調べるために動脈瘤嚢胞１６内の圧を監視するのに装置２１０を使用することが可能になる。複数の変換器アセンブリ２４０が、移植片２０と動脈瘤嚢胞１６との間の腔２８内に挿入される。これら変換器アセンブリ２４０を腔２８内に挿入する直前に、変換器アセンブリを冷却工程にかけて、コイル部材８２の全体サイズを圧縮させるようにしてもよい。
【００４２】
腔２８のより温かい環境に挿入されると、コイル部材８２は拡張し、図６に示すそれぞれの記憶された形状に復帰する。腔２８に挿入されると、これらの変換器アセンブリ２４０は、腔内の様々な場所に配備され、大動脈１２の内面１８に付着する。変換器アセンブリ２４０は、各変換器アセンブリ２４０上の一つ以上のコイル部材８２の遠位端８４が大動脈１２の内面１８に引っかかるか、絡みつくことによって、大動脈の内面に付着する。図１に示すような、これら変換器アセンブリ２４０の配備パターンは、腔２８内の圧分布をマップするためのセンサネットワークを形成する。
【００４３】
次に、第１実施態様に関連して前述したのと同じ手法で、装置２１０を用いて腔２８内の圧を監視する。読み出し／電力供給ユニット１６０は、腔２８内の各変換器アセンブリ２４０に対して、アンテナ１６２を通じて、電磁場(EMF)信号の形で、さらに具体的に言うと、無線周波数(RF)信号の形で電気エネルギーを伝達する。このRF信号は、各変換器アセンブリ２４０上のアンテナ２８２を通じて受信されてDC信号に変換され、これが、圧センサ４２の回路を電磁誘導的に活性化する。
【００４４】
腔２８内の各圧センサ４２は、感受性ダイアフラム６２の変形・張力によってもたらされる電気抵抗の変化を検出する。各圧センサ４２によって検出された抵抗の変化は、付加された圧力に対応し、感受された状態に応じたデータ信号が電子モジュール８０によって生成される。次に、このデータ信号は、各変換器アセンブリ２４０のアンテナ２８２から、経皮的に、読み出し／電力供給ユニット１６０のアンテナ１６２に伝達される。この伝達されたデータ信号は、RF搬送波周波数を持つ、パルス幅変調(PWM)信号である。その他の信号形式（例えば、周波数変調(FM)、または、周波数偏移変調(FSK)）も使用が可能であることが理解されるべきである。各変換器アセンブリ２４０は、各変換器アセンブリの特定が可能となるよう、特定且つ個別の搬送周波数帯域内で作動する。
【００４５】
読み出し／電力供給ユニット１６０のアンテナ１６２は、変換器アセンブリ２４０からデータ信号を受信し、このデータ信号を処理し、各圧センサ４２によって感受された圧に対応するデータ信号に基づいて圧データを表示する。圧データは、任意の数の形式で、例えば、絶対値またはプロットとして表示してよい。また圧データは、読み出し／電力供給ユニット１６０によって保存されてもよい。
【００４６】
読み出し／電力供給ユニット１６０によって受信されたデータは、腔内部の圧に関する生体内評価を提供する。さらに、腔２８内に複数の変換器アセンブリ２４０を設置することによって、装置２１０は、腔内の圧分布を監視することが可能になる。この圧分布は、エンドリーク位置や、その他の異常、例えば、動脈瘤１４の特に脆弱な領域の位置に関して有用な情報を提供し得る。前述の装置２１０は、術後の期間中、腔内の圧を連続的に、または、必要に応じて監視することを可能とする。
【００４７】
図８および９は、本発明の第３実施態様に従って構築された、体腔２８内の圧を監視するための装置３１０を示す。図８、９の第３実施態様では、前述の実施態様で使用されたものと同じ参照番号は、前述の実施態様の構成要素と同じ構成要素を表わす。
【００４８】
図８および９の第３実施態様によれば、装置３１０は、また別の変換器アセンブリ３４０を利用する。この変換器アセンブリ３４０は、圧センサ４２と、前述のアンテナ２８２を有する遠隔測定装置２４４を含む。二つ以上のコイル部材８２が変換器アセンブリ３４０のアンテナ２８２から延出し、アンテナに電気的に結合する。コイル部材８２は、変換器アセンブリ２４０を、前述のように、体腔２８内の表面に固定するために使用されるばかりでなく、変換器アセンブリ３４０と読み出し／電力供給ユニット１６０との間の電気信号の交換を改善するために、アンテナ２８２の延長としても機能する。前述の実施態様の場合と同様、コイル部材８２は、既知の形状記憶特性を持つ、一般にニチノールと呼ばれるニッケルチタン合金からなるが、別態様として、他の生体適合性材料から形成されてもよい。
【００４９】
第３実施態様による装置３１０は、腔２８内の圧を監視するのに、第１実施態様に関して前述したのと同じ手法で使用される。読み出し／電力供給ユニット１６０によって受信されたデータは、腔２８内部の圧に関する生体内評価を提供する。さらに、腔２８内に複数の変換器アセンブリ３４０を設置することによって、装置３１０は腔内の圧分布を監視することが可能になる。この圧分布は、エンドリーク位置や、その他の異常、例えば、動脈瘤１４の特に脆弱な領域の位置に関して有用な情報を提供し得る。前述の装置３１０は、術後の期間中、腔２８内の圧を連続的に、または、必要に応じて監視することを可能とする。
【００５０】
図１０は、本発明の第４実施態様に従って構築された、体腔２８内の圧を監視するための装置４１０を示す。図１０の第４実施態様では、前述の実施態様で使用されたものと同じ参照番号は、前述の実施態様の構成要素と同じ構成要素を表わす。
【００５１】
第４実施態様によれば、装置４１０は、図２の変換器アセンブリ４０に似た変換器アセンブリ４４０を含むが、液体５０で充填された弾性収容体４６は含まない。代わりに、圧センサ４２と遠隔測定装置４４は、生体分子コート４５０に包まれる。この変換器アセンブリ４４０を所望の生体分子を含む溶液に晒すと、変換器アセンブリの外面に単層コートが形成される。この所望の生体分子は、コラーゲン、ヒアルロナン、グリコール、ポリウレタン、または、その他の適当な生体分子材料であってもよい。別態様として、生体分子から成るフィルムでこの変換器アセンブリ４４０を覆ってもよい。さらに、パリレンやPDMS等の他の適当な生体適合性材料の薄層を代わりに変換器アセンブリ４４０の外面に形成してもよい。
【００５２】
第４実施態様による装置４１０は、腔２８内の圧を監視するに際し、第１実施態様に関連して前述したのと同様に使用される。読み出し／電力供給ユニット１６０によって受信されたデータは、腔２８内部の圧に関する生体内評価を提供する。さらに、腔２８内に複数の変換器アセンブリ４４０を設置することによって、装置４１０は、腔内の圧分布を監視することが可能になる。この圧分布は、エンドリーク位置や、その他の異常、例えば、動脈瘤１４の特に脆弱な領域の位置に関して有用な情報を提供し得る。前述の装置４１０は、術後の期間中、腔２８内の圧を連続的に、または、必要に応じて監視することを可能とする。
【００５３】
図１１は、本発明の第５実施態様に従って構築された、体腔２８内の圧を監視するための装置５１０を示す。図１１の第５実施態様では、前述の実施態様で使用されたものと同じ参照番号は、前述の実施態様の構成要素と同じ構成要素を表わす。
【００５４】
第５実施態様によれば、装置５１０は、図６の変換器アセンブリ２４０に似た変換器アセンブリ５４０を含むが、液体５０で充填された弾性収容体４６は含まない。代わりに、圧センサ４２と遠隔測定装置２４４は、生体分子コート５５０に包まれる。この変換器アセンブリ５４０を所望の生体分子を含む溶液に晒すと、変換器アセンブリの外面に単層コートが形成される。この所望の生体分子は、コラーゲン、ヒアルロナン、グリコール、ポリウレタン、または、その他の適当な生体分子材料であってもよい。別態様として、生体分子から成るフィルムでこの変換器アセンブリ５４０を覆ってもよい。さらに、他の適当な生体適合性材料、例えば、パリレンまたはPDMSから成る薄層を代わりに変換器アセンブリ５４０の外面に形成してもよい。
【００５５】
第５実施態様による装置５１０は、腔２８内の圧を監視するに際し、第１実施態様に関連して前述したのと同様に使用される。読み出し／電力供給ユニット１６０によって受信されたデータは、腔２８内部の圧に関する生体内評価を提供する。さらに、腔２８内に複数の変換器アセンブリ５４０を設置することによって、装置５１０は、腔内の圧分布を監視することが可能になる。この圧分布は、エンドリーク位置や、その他の異常、例えば、動脈瘤１４の特に脆弱な領域の位置に関して有用な情報を提供し得る。前述の装置５１０は、術後の期間中、腔２８内の圧を連続的に、または、必要に応じて監視することを可能とする。
【００５６】
図１２は、本発明の第６実施態様に従って構築された、体腔２８内の圧を監視するための装置６１０を示す。図１２の第６実施態様では、前述の実施態様で使用されたものと同じ参照番号は、前述の実施態様の構成要素と同じ構成要素を表わす。
【００５７】
第６実施態様によれば、装置６１０は、図８の変換器アセンブリ３４０に似た変換器アセンブリ６４０を含むが、液体５０で充填された弾性収容体４６は含まない。代わりに、圧センサ４２と遠隔測定装置２４４は、生体分子コート６５０に包まれる。この変換器アセンブリ６４０を所望の生体分子を含む溶液に晒すと、変換器アセンブリ６４０の外面に単層コートが形成される。この所望の生体分子は、コラーゲン、ヒアルロナン、グリコール、ポリウレタン、または、その他の適当な生体分子材料であってもよい。別態様として、生体分子から成るフィルムでこの変換器アセンブリ６４０を覆ってもよい。さらに、他の適当な生体適合性材料、例えば、パリレンまたはPDMSから成る薄層を代わりに変換器アセンブリ６４０の外面に形成してもよい。
【００５８】
第６実施態様による装置６１０は、腔２８内の圧を監視するに際し、第１実施態様に関連して前述したのと同様に使用される。読み出し／電力供給ユニット１６０によって受信されたデータは、腔２８内部の圧に関する生体内評価を提供する。さらに、腔２８内に複数の変換器アセンブリ６４０を設置することによって、装置６１０は、腔内の圧分布を監視することが可能になる。この圧分布は、エンドリーク位置や、その他の異常、例えば、動脈瘤１４の特に脆弱な領域の位置に関して有用な情報を提供し得る。前述の装置６１０は、術後の期間中、腔２８内の圧を連続的に、または、必要に応じて監視することを可能とする。
【００５９】
前述の遠隔測定方式の他に、本発明の前述の各実施態様に容量型センサを用いることにより、タンク回路（図示せず）を用いた別の遠隔測定方式を採用することも可能であることが考えられる。圧センサやストレインゲージのようなセンサにおける容量またはインダクタンスの変化は、タンク回路によって検出が可能であることが知られている。このようなタンク回路は、可変容量と固定インダクタンス、または、可変インダクタンスと固定容量のどちらかを有する。
【００６０】
タンク回路が可変容量を持つ場合、容量は、センサのタイプに応じて、圧または張力が変化するにつれて変化する。この容量変化は、検出可能な共鳴周波数の変化を招く。そして、この容量変化は、次式：ｆ０＝１／２π（ＬＣ）１／２を用いて計算が可能である。ここに、Ｌはインダクタンスであり、Ｃはキャパシタンスである。この同じ方程式が、タンク回路の容量が固定されている場合に、インダクタンス変化を計算するのにも使用される。複数のセンサが使用される前述の実施態様では、各センサは、特定の共鳴周波数帯域内で作動するように設計される。そして、各センサの出力に対応する、各センサの個々の共鳴周波数が特定可能となるよう、タンク回路を複数の周波数範囲に渡って掃引する。
【００６１】
本発明においては、このタンク回路式の遠隔測定方式をいくつかの異なる手法で採用することが可能である。タンク回路の回路形態を、各変換器アセンブリと関連づけられた電子モジュールに付加することが可能である。別態様として、センサは、積分性タンク回路を有する容量性センサであってもよい。最後に、前述の従来のタンク回路（可変容量または可変インダクタンス）は、可変コンデンサと、インダクタの片方を同じ感受性ダイアフラムの上に製造するような構成とすることも可能である。インダクタのもう片方は、コンデンサの固定電極と結合させ、それによって、感受性ダイアフラムが動くと、容量とインダクタンスが一緒に増加または減少するようにさせる。
【００６２】
本発明に関する前記説明から、当業者であれば改良点、変更点や、修正点に気づくであろう。例えば、上に開示したいくつかの装置は、その他の状態、例えば、生体の様々な領域における温度や張力を監視するよう修正することも可能であることが理解されるべきである。技術水準の範囲に含まれるこのような改良、変更、および、修正は、添付の特許請求の範囲によってカバーされることが意図される。
【図面の簡単な説明】
【００６３】
【図１】図１は、体腔の、部分的に断面を示す正面図であり、体腔の状態を監視する装置を例示する。
【図２】図２は、装置の一構成要素の拡大断面図である。
【図３】図３は、図２に示した構成要素の一部の斜視図である。
【図４】図４は、体腔の状態を監視する装置の模式的ブロック図である。
【図５】図５は、体腔の状態を監視する装置の、別の模式的ブロック図である。
【図６】図６は、第２実施態様を示す、図２と同様の断面図である。
【図７】図７は、図６の直線７−７に沿って得られた平面図である。
【図８】図８は、第３実施態様を示す、図２と同様の断面図である。
【図９】図９は、図８の直線９−９に沿って得られた平面図である。
【図１０】図１０は、第４実施態様を示す、図２と同様の断面図である。
【図１１】図１１は、第５実施態様を示す、図６と同様の断面図である。
【図１２】図１２は、第６実施態様を示す、図８と同様の断面図である。
【図１】
2005510336.tif 000003
【図２】
2005510336.tif 000004
【図３】
2005510336.tif 000005
【図４】
2005510336.tif 000006
【図５】
2005510336.tif 000007
【図６】
2005510336.tif 000008
【図７】
2005510336.tif 000009
【図８】
2005510336.tif 000010
【図９】
2005510336.tif 000011
【図１０】
2005510336.tif 000012
【図１１】
2005510336.tif 000013
【図１２】
2005510336.tif 000014
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
体腔内の状態を監視するための装置であって、
体腔内に挿入される少なくとも一つのセンサであって、体腔内の状態に応じて信号を発生するためのセンサであり、少なくとも一つのベース部材を含むセンサと、
前記少なくとも一つのセンサと作動的に結合した少なくとも一つの遠隔測定（telemetric）装置であって、前記少なくとも一つのセンサからの前記信号を受信して、前記信号に応じたEMF信号を送信するように作動が可能な遠隔測定装置と
を含み、
前記少なくとも一つの遠隔測定装置は、前記少なくとも一つの遠隔測定装置から延出する少なくとも一つのコイル部材を含み、前記少なくとも一つのコイル部材は、各々、前記少なくとも一つのベース部材に物理的に結合された近位端と、体腔の壁と係合して、前記少なくとも一つのベース部材を体腔内に固定するための遠位端とを有し、前記少なくとも一つのベース部材は、前記少なくとも一つのコイル部材によって、前記体腔の壁から離れて配置される。
【請求項２】
前記少なくとも一つのセンサと、前記少なくとも一つの遠隔測定装置の一部とを取り囲む弾性収容体（compliant enclosure）をさらに含み、前記少なくとも一つのコイル部材は、前記弾性収容体を通って延出する、請求項１の装置。
【請求項３】
協働してセンサネットワークを形成する、複数のセンサと、対応する複数の遠隔測定装置とをさらに含む、請求項１の装置。
【請求項４】
前記少なくとも一つのコイル部材は、前記少なくとも一つの遠隔測定装置と作動的に結合し、前記EMF信号を送信するためのアンテナとして機能する、請求項１の装置。
【国際調査報告】
2005510336.tif 000015
2005510336.tif 000016